(57)【要約】【課題】平板表示パネル用の支持装置、及びそれを備えた平板表示装置を提供する。【解決手段】表示素子を備える平板表示パネルを支持するための支持装置において、第１溝を備え、平板表示パネルの４側面のうち一側面を支持するための第１支持部材と、第２溝をそれぞれ備え、平板表示パネルの４側面のうち一側面を除いた互いに対向する側面を支持するための１対の第２支持部材と、を備え、平板表示パネルの４側面のうち、一側面に対向する側面が開放され、平板表示パネルは、第１支持部材及び第２支持部材の溝に挿入されて、第１支持部材及び第２支持部材によって支持される平板表示パネル用の支持装置。【選択図】図１
2006146214.tif 000002
【特許請求の範囲】
【請求項１】
表示素子を備える平板表示パネルを支持するための支持装置であって、
第１溝を備え、前記平板表示パネルの４側面のうちの１側面を支持するための第１支持部材と、
第２溝をそれぞれ備え、前記平板表示パネルの４側面のうち前記一側面を除いた互いに対向する側面を支持するための１対の第２支持部材と、を有し、
前記平板表示パネルの４側面のうち前記一側面に対向する側面は、開放状態とされ、
前記平板表示パネルは、前記第１支持部材及び第２支持部材の溝に挿入され、前記第１支持部材及び第２支持部材によって支持されることを特徴とする平板表示パネル用の支持装置。
【請求項２】
前記第１支持部材及び第２支持部材は、金属薄板を備えることを特徴とする請求項１に記載の平板表示パネル用の支持装置。
【請求項３】
前記第１支持部材及び第２支持部材は、それぞれ別々に設けられ、前記平板表示パネルを支持するために互いに結合されることを特徴とする請求項１に記載の平板表示パネル用の支持装置。
【請求項４】
前記第１支持部材及び第２支持部材は、単一の構造体として形成され、前記平板表示パネルを支持することを特徴とする請求項１に記載の平板表示パネル用の支持装置。
【請求項５】
前記第１支持部材及び前記第２支持部材は、前記平板表示パネルの上面及び下面のうち、前記表示素子に対応する部分が開放状態となるように、前記平板表示パネルを支持することを特徴とする請求項１に記載の平板表示パネル用の支持装置。
【請求項６】
前記平板表示パネルは、両面発光型の有機電界発光表示パネルを備えることを特徴とする請求項１に記載の平板表示パネル用の支持装置。
【請求項７】
画像表示部を備える基板、前記基板の画像表示部上に配列された表示素子、及び前記表示素子を封止するための封止手段を備える表示パネルと、
前記表示パネルを支持するための支持部材と、を有し、
前記支持部材は、第１溝を備え、前記平板表示パネルの４側面のうち一側面を支持するための第１支持部材と、第２溝をそれぞれ備え、前記平板表示パネルの４側面のうち前記一側面を除いた互いに対向する側面を支持するための１対の第２支持部材と、を有し、
前記支持部材は、前記平板表示パネルの４側面のうち前記一側面に対向する側面が開放状態とされ、前記第１支持部材及び第２支持部材の溝に前記平板表示パネルが挿入される構造を有することを特徴とする平板表示装置。
【請求項８】
前記第１支持部材及び第２支持部材は、金属薄板を備えることを特徴とする請求項７に記載の平板表示装置。
【請求項９】
前記第１支持部材及び第２支持部材は、それぞれ別々に設けられ、前記平板表示パネルを支持するために互いに結合されることを特徴とする請求項８に記載の平板表示装置。
【請求項１０】
前記第１支持部材及び第２支持部材は、単一の構造体として形成されて前記平板表示パネルを支持することを特徴とする請求項７に記載の平板表示装置。
【請求項１１】
前記支持部材は、前記平板表示パネルの上面及び下面の、前記表示素子に対応する部分が開放状態になるように、前記第１支持部材及び第２支持部材によって前記平板表示パネルを支持することを特徴とする請求項７に記載の平板表示装置。
【請求項１２】
前記平板表示パネルは、両面発光型の有機電界発光表示パネルを備えることを特徴とする請求項１に記載の平板表示装置。
【請求項１３】
表示素子を備える平板表示パネルを支持するための支持装置であって、
少なくとも一方は凹部を備え、それぞれ別々に設けられ、平板表示パネルを支持するために互いに上下に結合される第１支持部材及び第２支持部材を有し、
前記平板表示パネルの４側面のうち一側面に対向する側面は、開放状態にされ、
前記凹部は、前記第１支持部材及び第２支持部材が上下に結合されることによって、溝を形成し、
前記平板表示パネルは、前記溝に挿入されて支持されることを特徴とする平板表示パネル用の支持装置。
【請求項１４】
前記第１支持部材及び第２支持部材は、金属薄板を備えることを特徴とする請求項１３に記載の平板表示パネル用の支持装置。
【請求項１５】
前記平板表示パネルの下面を支持するための前記第１支持部材には、凹部が形成されることを特徴とする請求項１３に記載の平板表示パネル用の支持装置。
【請求項１６】
前記平板表示パネルの上面を支持するための前記第２支持部材には、凹部が形成されることを特徴とする請求項１３に記載の平板表示パネル用の支持装置。
【請求項１７】
前記第１支持部材及び第２支持部材のそれぞれには、凹部が形成されることを特徴とする請求項１３に記載の平板表示パネル用の支持装置。
【請求項１８】
前記平板表示パネルは、前記平板表示パネルの上面及び下面の、前記表示素子に対応する部分が開放状態となるように、前記第１支持部材及び第２支持部材によって支持されることを特徴とする請求項１３に記載の平板表示パネル用の支持装置。
【請求項１９】
前記平板表示パネルは、両面発光型の有機電界発光表示パネルを備えることを特徴とする請求項１３に記載の平板表示パネル用の支持装置。
【請求項２０】
画像表示部を備える基板、前記基板の画像表示部上に配列された表示素子、及び前記表示素子を封止するための封止手段を備える表示パネルと、
少なくとも一方が凹部を備える第１支持部材及び第２支持部材と、を有し、
前記平板表示パネルの４側面のうち一側面に対向する側面は、開放状態とされ、
前記第１支持部材と前記第２支持部材は、それぞれ別々に設けられており、前記平板表示装置を支持するために互いに上下に結合され、
前記凹部は、前記第１支持部材と前記第２支持部材とが上下に結合されることにより、溝を形成し、
前記平板表示パネルは、前記溝に挿入されて支持されることを特徴とする平板表示装置。
【請求項２１】
前記第１支持部材及び第２支持部材は、金属薄板を備えることを特徴とする請求項２０に記載の平板表示装置。
【請求項２２】
前記平板表示パネルの下面を支持するための第１支持部材には、凹部が形成されることを特徴とする請求項２０に記載の平板表示装置。
【請求項２３】
前記平板表示パネルの上面を支持するための第２支持部材には、凹部が形成されることを特徴とする請求項２０に記載の平板表示装置。
【請求項２４】
前記第１支持部材及び第２支持部材のそれぞれには、凹部が形成されることを特徴とする請求項２０に記載の平板表示装置。
【請求項２５】
前記平板表示パネルは、前記平板表示パネルの上面及び下面の、前記表示素子に対応する部分が開放状態とされるように、前記第１支持部材及び第２支持部材によって支持されることを特徴とする請求項２０に記載の平板表示装置。
【請求項２６】
前記平板表示パネルは、両面発光型の有機電界発光表示パネルを備えることを特徴とする請求項２０に記載の平板表示パネル用の支持装置。
【発明の詳細な説明】
【技術分野】
【０００１】
本発明は、平板表示装置に関し、より具体的には、両面発光型の有機電界発光表示パネルを支持するための支持装置、及びそれを備えた有機電界発光表示装置に関する。
【背景技術】
【０００２】
一般的に、有機電界発光表示装置や液晶表示装置（ＬＣＤ：Ｌｉｑｕｉｄ  Ｃｒｙｓｔａｌ  Ｄｉｓｐｌａｙ）のような平板表示装置は、表示素子を備えて画像を具現するための平板表示パネルと、前記平板表示パネルを駆動するための駆動ドライバ回路と、外部制御回路や前記駆動ドライバ回路を平板表示パネルに連結させるためのフレキシブル回路基板（ＦＰＣ：Ｆｌｅｘｉｂｌｅ  Ｐｒｉｎｔｅｄ  Ｃｉｒｃｕｉｔ）を備える。
【０００３】
前記平板表示パネルは、画像表示部に表示素子が配列されている基板と、前記基板に対向するように配列されて前記表示素子を封止するための封止部材としての封止基板と、前記基板及び封止基板を密封するためのシーリング材のような密封部材とを備える。
【０００４】
通常、このような平板表示パネルの基板は、ガラス、プラスチックまたは金属製であり、それを支持するための支持部材が必要となる。
【０００５】
特許文献１には、平板表示装置である液晶表示モジュールを固定するための固定用構造体に関するものであって、一つのブラケットを利用して多様な規格の液晶表示モジュールを固定するための液晶表示モジュールの固定用構造体が開示されている。
【０００６】
一般的に、電界発光表示装置は、上下部電極と、上下部電極の間に介在された発光層とを備えた自己発光装置であり、前記２つの電極に印加される電圧に応じて前記発光層から光が発せられ画像が表示される
電界発光表示装置は、前記上下部電極間に介在される発光層を構成する物質によって、発光層が無機物質で構成される無機電界発光表示装置と、発光層が有機物質で構成される有機電界発光表示装置とに大別される。前記有機電界発光表示装置は、広い視野角、高速応答性、ハイコントラストなどの優れた特性を有するため、次世代平板表示装置として注目されている。
【０００７】
このような有機電界発光表示装置は、有機物質の種類によって、発光層が高分子物質で構成される高分子有機電界発光表示装置と、発光層が低分子物質で構成される低分子有機電界発光表示装置とに大別される。
【０００８】
また、前記有機電界発光表示装置は、前記発光層から発せられた光が放出される経路によって分類され、発光層から発せられた光が基板に向かって放出される背面発光型の有機電界発光表示装置と、基板の反対方向である封止手段に向かって放出される前面発光型の有機電界発光表示装置と、基板及び封止基板の両面に発光される両面発光型の有機電界発光表示装置とに分類される。
【０００９】
これらのうち、両面発光型の有機電界発光表示装置においては、発光層から発せられた光が基板方向及び封止基板の両面に放出されるので、有機発光表示パネルを支持するための支持装置は、発光層から発せられる光の放出経路が妨害されない構造を有する必要がある。
【特許文献１】韓国公開特許第２００４−００６３６１４号明細書
【発明の開示】
【発明が解決しようとする課題】
【００１０】
本発明は、従来技術の問題点を解決するためのものであって、両面発光型の平板表示パネルを支持するための支持装置、及びそれを備えた両面発光型の平板表示装置を提供することを目的とする。
【課題を解決するための手段】
【００１１】
前記目的を達成するために、本発明の平板表示パネルを支持するための支持装置は、第１溝を備え、前記平板表示パネルの４側面のうち一側面を支持するための第１支持部材と、第２溝をそれぞれ備え、前記平板表示パネルの４側面のうち前記一側面を除いた互いに対向する側面を支持するための１対の第２支持部材とを有し、前記平板表示パネルの４側面のうち前記一側面に対向する側面は開放状態とされ、前記平板表示パネルは前記第１支持部材及び第２支持部材の溝に挿入され、前記第１支持部材及び第２支持部材によって支持されることを特徴とする。
【００１２】
前記第１支持部材及び第２支持部材は、金属薄板を備える。前記平板表示パネルは、両面発光型の有機電界発光表示パネルを備える。
【００１３】
前記第１支持部材及び第２支持部材は、それぞれ別々に設けられ、前記平板表示パネルを支持するために互いに結合されることができるほか、単一の構造体として形成され、前記平板表示パネルを支持することもできる。
【００１４】
前記支持部材は、前記平板表示パネルのうち前記表示素子に対応する部分が開放状態とされるように、前記第１支持部材及び第２支持部材によって前記平板表示パネルを支持する。なお、本発明において、「開放状態」とは、パネル等の側面、または上面若しくは下面の一部が、支持部材により支持されず、露出された状態を表す概念である。
【００１５】
また、本発明は、画像表示部を備える基板、前記基板の画像表示部上に配列された表示素子、及び前記表示素子を封止するための封止手段を備える表示パネルと、前記表示パネルを支持するための支持部材とを有し、前記支持部材は、第１溝を備え、前記平板表示パネルの４側面のうち一側面を支持するための第１支持部材と、第２溝をそれぞれ備え、前記平板表示パネルの４側面のうち前記一側面を除いた互いに対向する側面を支持するための１対の第２支持部材とを有し、前記支持部材は、前記平板表示パネルの４側面のうち前記一側面に対向する側面が開放状態とされ、前記平板表示パネルは、前記第１支持部材の第１溝及び第２支持部材の第２溝に挿入される構造を有することを特徴とする平板表示装置を提供する。
【００１６】
また、本発明の表示素子を備える平板表示パネルを支持するための支持装置は、少なくとも一方が凹部を備え、それぞれ別々に設けられ、平板表示装置を支持するために上下に結合される第１支持部材及び第２支持部材を有し、前記平板表示パネルの４側面のうち一側面に対向する側面が開放状態とされ、前記凹部は、前記第１支持部材及び第２支持部材が上下に結合されることによって溝を形成し、前記平板表示パネルは、前記溝に挿入されて支持されることを特徴とする。
【００１７】
前記凹部は、前記平板表示パネルの下面を支持するための第１支持部材に形成されることができるほか、前記平板表示パネルの上面を支持するための第２支持部材に形成されることも、第１支持部材及び第２支持部材のそれぞれに形成されることもできる。
【００１８】
また、本発明は、画像表示部を備える基板、前記基板の画像表示部上に配列された表示素子、及び前記表示素子を封止するための封止手段を備える表示パネルと、少なくとも一方が凹部を備え、前記平板表示パネルの４側面のうち一側面に対向する側面を開放状態とし、また、それぞれが別々に設けられ、平板表示パネルを保持するために上下に結合される第１支持部材及び第２支持部材とを有し、前期凹部は、前記第１支持部材及び第２支持部材が上下に結合されることによって溝を形成し、前記平板表示パネルは、前記溝に挿入されて支持されることを特徴とする平板表示装置を提供する。
【発明の効果】
【００１９】
本発明の実施形態によれば、平板表示パネルを支持するための支持部材が、前記平板表示パネルの上下面の一部が開放状態とされる構造を有することによって、両面発光型の平板表示パネルの発光層から発せられる光の経路を妨害せずに、前記平板表示パネルを支持し、かつ保護できる。
【発明を実施するための最良の形態】
【００２０】
添付された図面を参照し、以下に本発明の実施形態を説明する。
【００２１】
図１は、本発明の一実施形態による両面発光型の有機電界発光表示装置を示す分解斜視図である。図１の有機電界発光表示装置は、両面発光型の有機電界発光（ＥｌｅｃｔｒｏＬｕｍｉｎｅｓｃｅｎｃｅ：ＥＬ）パネル１１０と、前記両面発光型の有機ＥＬパネル１１０を支持するための支持部材１２０とを備える。
【００２２】
前記支持部材１２０は、溝１２５を備え、前記有機ＥＬパネル１１０の４側面のうち、一側面を支持するための第１支持部材１２１と、溝１２６，１２７をそれぞれ備え、前記有機ＥＬパネル１１０の４側面のうち、前記一側面を除いた互いに対向する側面を支持するための１対の第２支持部材１２２，１２３とを有する。前記第１支持部材１２１及び１対の第２支持部材１２２，１２３は、それぞれ別々に設けられる。
【００２３】
前記支持部材１２０は、金属薄板を備える。前記支持部材１２０は、必ずしも金属薄板で構成されるものではなく、有機ＥＬパネル１１０の破損を防止し、有機ＥＬモジュール状態にあるパネルの強度を補強する材質であれば何れも使用可能である。
【００２４】
前記支持部材１２０は、前記第２支持部材１２２，１２３が前記第１支持部材１２１の両側に結合され、前記ＥＬパネル１１０の４側面のうち、前記一側面に対向する他の側面が開放状態にされ、さらに、前記有機ＥＬパネル１１０の上下面の一部が開放状態とされる構造を有する。
【００２５】
前記有機ＥＬパネル１１０は、前記支持部材１２０の溝１２５、１２６、１２７に挿入され、そのエッジ部分が支持部材１２０の第１支持部材１２１及び第２支持部材１２２，１２３によって支持される。
【００２６】
図２は、本実施形態による両面発光型の有機ＥＬパネル１１０の断面図である。図２を参照して、両面発光型の有機ＥＬパネル１１０は、表示素子１０４が配列される基板１１１と、封止手段１１５とを備える。前記基板１１１は、画像表示部１０２と非画像表示部１０３とを備える。前記封止手段１１５は、シーリング材のような密封部材１１７によって前記基板１１１と固着されて、前記表示素子１０４を封止する。
【００２７】
前記画像表示部１０２は、表示素子１０４が配列され、光を発して画像を表示する部分である。前記非画像表示部１０３は、前記画像表示部１０２の外郭部であり、パッド部（図示せず）が配列されており、その表面は、前記封止手段１１５との接着のための密封部材１１７で覆われる。
【００２８】
前記表示素子１０４は、基板１１１上にマトリックス状に配列された複数の画素１０１を備える。各画素は、有機電界発光素子と、前記有機電界発光素子を駆動するための素子を駆動する薄膜トランジスタ及びキャパシタを備える。
【００２９】
図３は、本実施形態による有機電界発光表示装置の断面構造の一例を示す。図３は、有機電界発光表示装置の表示素子１０４のうち一つの画素１０１の断面構造を示し、有機電界発光素子及びそれを駆動するための駆動用薄膜トランジスタの断面図を示す。
【００３０】
図３を参照して、薄膜トランジスタは、基板１１１のバッファ層１０上に形成される。前記薄膜トランジスタは、半導体層２０と、ゲート３６と、ソース及びドレイン電極５２，５４とを備える。
【００３１】
前記薄膜トランジスタの半導体層２０は、前記バッファ層１０上に形成され、例えばｐ型不純物のような所定の導電型の不純物がドーピングされたソース領域２１及びドレイン領域２４と、ソース領域２１とドレイン領域２４との間にあって、不純物がドーピングされていないチャンネル領域２６とを備える。
【００３２】
前記ゲート３６は、前記半導体層２０のチャンネル領域２６に対応するゲート絶縁膜３０上に形成される。前記ソース及びドレイン電極５２，５４は、層間絶縁膜４０上に形成され、コンタクトホール４２，４４を通って前記ソース及びドレイン領域２１，２４に連結されるように形成される。
【００３３】
保護膜６０上には、前記薄膜トランジスタに連結される有機電界発光素子が形成される。前記有機電界発光素子は、アノード電極７０、カソード電極９５及びこれらの間に介在された有機膜層９０を備える。
【００３４】
前記アノード電極７０は、前記保護膜６０上に形成され、ビアホール６４を通って、前記薄膜トランジスタのソース電極５２及びドレイン電極５４のうちのドレイン電極５４に連結される下部電極である。前記基板１１１上には、開口部８５を備える画素分離膜８０が形成され、前記開口部８５により前記アノード電極の一部が露出される。
【００３５】
前記開口部８５内のアノード電極７０上に有機膜層９０が形成され、前記基板１１１上にカソード電極９５が上部電極として形成される。前記有機膜層９０は、正孔注入層、正孔輸送層、有機発光層、電子輸送層、電子注入層、及び正孔抑制層から選択される少なくとも一つの有機膜を含む。
【００３６】
本発明の有機電界発光表示装置は両面発光型であるので、前記アノード電極７０及びカソード電極９５は、有機膜層９０の発光層から発せられた光が透過できるような透明電極を含むことが望ましく、前記基板１１１及び封止手段１１５は透明な物質を含むことが望ましい。
【００３７】
本発明の実施形態による有機電界発光表示装置において、各画素の断面構造は、必ずしも図３に示したような構造に限定されるものではなく、多様な形態の断面構造を有しうる。
【００３８】
本発明の有機電界発光表示装置に使われる薄膜トランジスタは、半導体層が有機半導体層を含む有機薄膜トランジスタと、半導体層が多結晶シリコンまたは非晶質シリコンを含むシリコン薄膜トランジスタを含む。また、前記基板として、ガラス基板やプラスチック基板などの多様な基板が使用される。
【００３９】
また、本発明の実施形態による有機電界発光表示装置において、前記有機電界発光素子は、有機膜層が高分子有機物質を含む高分子有機電界発光素子、または有機膜層が低分子有機物質を含む低分子有機電界発光素子を含む。
【００４０】
本発明の実施形態による両面発光型の平板表示装置は、前記有機ＥＬパネル１１０のエッジ部分のみが前記支持部材１２０によって支持され、有機ＥＬパネル１１０の上面、すなわち封止手段１１５の一部、及び有機ＥＬパネル１１０の下面、すなわち基板１１１の一部が露出される。
【００４１】
このとき、有機ＥＬパネル１１０は両面発光型であるため、前記支持部材１２０によって支持される部分は、前記非画像表示部１０３に対応する有機ＥＬパネル１１０のエッジ部分であることが望ましく、前記有機ＥＬパネル１１０の基板１１１及び封止手段１１５の画像表示部１０２に対応する部分が開放状態とされることが望ましい。
【００４２】
したがって、前記支持部材１２０において、前記溝１２５，１２６，１２７には、有機ＥＬパネル１１０の一側面が挿入されるので、前記溝１２５の幅は、有機ＥＬパネル１１０の厚さによって決定されることが望ましい。また、前記溝１２５，１２６，１２７の深さ（奥行き）は、画像表示部１０２を除いた前記有機ＥＬパネル１１０のエッジ部分であって、非画像表示部１０３に対応するエッジ部分のみが前記溝１２５，１２６，１２７に挿入されるように決定されることが望ましい。
【００４３】
図面上には示されていないが、本発明の平板表示装置において、有機ＥＬパネル１１０の基板１１１上に駆動ドライバＩＣが実装されることもある。駆動ドライバＩＣは、ＣＯＧ（Ｃｈｉｐ  Ｏｎ  Ｇｌａｓｓ）方式、ワイヤボンディング方式またはＴＡＰ（Ｔａｐｅ  Ａｕｔｏｍａｔｅｄ  Ｐａｃｋａｇｅ）方式を利用して実装される。
【００４４】
このとき、前記有機ＥＬパネル１１０の基板１１１上に配列されたパッド部と、前記駆動ドライバＩＣのパッド部とは、前記駆動ドライバＩＣから前記有機ＥＬパネル１１０に駆動信号が提供されるように、異方性導電フィルム（Ａｎｉｓｏｔｒｏｐｉｃ  Ｃｏｎｄｕｃｔｉｖｅ  Ｆｉｌｍ：ＡＣＦ）を通じて互いに電気的に接続される。
【００４５】
ＣＯＧ方式は、前記有機ＥＬパネル１１０の下部基板１１１上にＡＣＦ（図示せず）を付着させ、前記ＡＣＦ上に駆動ドライバＩＣを付着させることによって、下部基板１１１上に駆動ドライバＩＣを実装する方式である。
【００４６】
一方、ワイヤボンディング方式は、導電性ワイヤを利用して有機ＥＬパネル１１０のパッド部と駆動ドライバＩＣのパッド部とを接続する方式であり、ＴＡＰ方式は、ベースフィルムを利用して有機ＥＬパネル１１０のパッド部と駆動ドライバＩＣのパッド部とを接続する方式である。
【００４７】
また、本発明の有機電界発光表示装置は、図面上には示されていないが、外部からの信号を前記有機ＥＬパネル１１０に供給するためのＦＰＣを備える。
【００４８】
本発明においては、前記有機電界発光表示装置が両面発光型であるため、ＦＰＣが折り曲げられて前記支持部材１２０に固定される背面発光型または前面発光型の有機電界発光表示装置とは違って、前記支持部材１２０の開放状態にされた側面から前記ＦＰＣが引出されて本体に挿入されることが望ましい。
【００４９】
例えば、本発明の両面発光型の有機電界発光表示装置が携帯電話のような携帯用端末に使われる場合には、前記支持部材１２０の開放状態にされた側面から引出されるＦＰＣは、キーパッドが配列される本体内に装着されることが望ましい。
【００５０】
前記ＦＰＣは、前記基板１１１上に直接付着されることができるほか、前記有機ＥＬパネル１１０とＦＰＣとを正確に接続させるために、ＡＣＦを利用して前記基板１１１と熱融着されることもできる。
【００５１】
前記ＦＰＣのパッド部は、前記有機ＥＬパネル１１０の基板１１１上に配列されたパッド部に直接付着されることができるほか、ＡＣＦを通じて付着されて電気的に相互接続されることもできる。一方、駆動ドライバＩＣが有機ＥＬパネル１１０の基板１１１上に実装される場合には、前記ＦＰＣのパッド部が前記駆動ドライバＩＣのパッド部と電気的に接続される。
【００５２】
図４は、本発明の他の実施形態による有機電界発光表示装置の分解斜視図である。図４に示した有機電界発光表示装置は、図１に示した有機電界発光表示装置と同じ構造を有する。但し、図４に示した有機ＥＬパネルの支持部材２２０は、図１に示した支持部材１２０とは異なる。
【００５３】
図４を参照して、本発明の有機電界発光表示装置は、両面発光型の有機ＥＬパネル２１０と、前記両面発光型の有機ＥＬパネル２１０を支持するための支持部材２２０とを備える。前記有機ＥＬパネル２１０は、図２及び図３の有機ＥＬパネル１１０と同じ構造を有する。また、支持部材２２０の構造は、図１の支持部材１２０と同じであり、支持部材２２０が単一の構造体として形成されている点のみが異なる。
【００５４】
すなわち、前記支持部材２２０は、溝２２５を備え、前記有機電界ＥＬパネル２１０の４側面のうち一側面を支持するための第１支持部材２２１と、溝２２６，２２７をそれぞれ備え、前記有機ＥＬパネル２１０の４側面のうち、互いに対向する側面を支持するための１対の第２支持部材２２２，２２３とを有する。前記第１支持部材２２１と１対の第２支持部材２２２，２２３は、単一の構造物として形成される。
【００５５】
前記支持部材２２０は、前記ＥＬパネル２１０の４側面のうち、前記一側面に対向する他の側面が開放状態とされ、前記有機ＥＬパネル２１０の上下面の一部が開放状態とされる構造を有する。
【００５６】
前記有機ＥＬパネル２１０は、前記支持部材２２０の溝２２５，２２６，２２７に挿入され、そのエッジ部分が支持部材２２０の第１支持部材２２１及び第２支持部材２２２，２２３によって支持される。
【００５７】
本実施形態による両面発光型の平板表示装置は、前記有機ＥＬパネル２１０のエッジ部分のみが前記支持部材２２０によって支持され、それにより有機ＥＬパネル２１０の上面、すなわち封止手段２１５の一部と、有機ＥＬパネル２１０の下面、すなわち基板２１１の一部が露出される。
【００５８】
このとき、前記支持部材２２０には、前記非画像表示部１０３に対応する有機ＥＬパネル２１０のエッジ部分が支持されることが望ましく、前記有機ＥＬパネル２１０の基板２１１及び封止手段２１５の、画像表示部１０２に対応する部分が開放状態とされることが望ましい。
【００５９】
図５は、本発明のさらに他の実施形態による有機電界発光表示装置の分解斜視図である。
【００６０】
図５を参照して、本発明の有機電界発光表示装置は、両面発光型有機電界ＥＬパネル３１０と、前記両面発光型の有機ＥＬパネル３１０を支持するための支持部材３２０とを備える。前記有機ＥＬパネル３１０は、図２及び図３の有機ＥＬパネル１１０と同じ構造を有する。
【００６１】
前記支持部材３２０は、前記有機ＥＬパネル３１０が装着されて前記有機ＥＬパネル３１０の上面のエッジ部分を支持するための第１支持部材３２１と、凹部３２５を備え、前記有機電界ＥＬパネル３１０の上面の側面部分及びエッジ部分を支持するための第２支持部材３２２と、を有する。前記第１支持部材３２１及び第２支持部材３２２は、それぞれ別々に設けられている。
【００６２】
前記第１支持部材３２１及び第２支持部材３２２が上下に結合されることにより、前記凹部３２５が溝を形成する。有機ＥＬパネル３１０は、前記溝に挿入され、第１支持部材３２２と第２支持部材３２２とが、有機ＥＬパネル３１０を支持する。このとき、有機ＥＬパネル３１０の一側面が開放状態にされ、その上下面の一部が開放状態とされる。
【００６３】
前記ＥＬパネルの両側面は、前記支持部材３２０を構成する第１支持部材３２１と第２支持部材３２２とを結合することにより形成される溝に挿入されるため、前記溝の幅は、有機ＥＬパネル３１０の厚さによって決定されることが望ましい。また、前記溝の深さ（奥行き）は、画像表示部１０２を除いた前記有機ＥＬパネルのエッジ部分であって、非画像表示部１０３に対応するエッジ部分のみが前記溝に挿入されるように決定されることが望ましい。
【００６４】
本実施形態においては、凹部３２５が第２支持部材３２２に形成され、第２支持部材３２２が第１支持部材３２１と結合されるときに、有機ＥＬパネル３１０が挿入される溝が形成される。ただし、本発明は必ずしもこれに限定されず、第１支持部材３２１に凹部を形成し、第１支持部材３２１と第２支持部材３２２とを結合させることにより溝を形成することも可能である。
【００６５】
本実施形態による両面発光型の平板表示装置は、前記有機ＥＬパネル３１０のエッジ部分のみが前記支持部材３２０によって支持され、それにより、有機ＥＬパネル３１０の上面、すなわち封止手段３１５の一部、及び有機ＥＬパネル３１０の下面、すなわち基板３１１の一部が露出される。
【００６６】
このとき、前記支持部材３２０により、前記非画像表示部１０３に対応する有機ＥＬパネル３１０のエッジ部分が支持されることが望ましく、前記有機ＥＬパネル３１０の基板３１１及び封止手段３１５の画像表示部１０２に対応する部分が開放状態とされることが望ましい。
【００６７】
図６は、本発明のさらに他の実施形態による有機電界発光表示装置の分解斜視図である。
【００６８】
図６を参照して、本発明の有機電界発光表示装置は、両面発光型の有機電界ＥＬパネル４１０と、前記両面発光型の有機ＥＬパネル４１０を支持するための支持部材４２０と、を備える。前記有機ＥＬパネル４１０は、図２及び図３の有機ＥＬパネル１１０と同じ構造を有する。
【００６９】
前記支持部材４２０は、それぞれ凹部４２５，４２６を備える第１支持部材４２１及び第２支持部材４２２を備え、前記第１支持部材４２１と第２支持部材４２２とは、それぞれ別々に設けられている。
【００７０】
前記第１支持部材４２１は、前記有機ＥＬパネルが前記凹部４２５に挿入される状態で、前記有機ＥＬパネル４１０の下面の側面部分及びエッジ部分を支持し、前記第２支持部材４２２は、前記有機ＥＬパネル４１０が凹部４２６に挿入される状態で、前記有機ＥＬパネル４１０の上面の側面部分及びエッジ部分を支持する。
【００７１】
前記第１支持部材４２１及び第２支持部材４２２は、互いに上下に結合され、前記凹部４２５及び４２６が溝を形成する。前記有機ＥＬパネル４１０は前記溝に挿入され、前記第１支持部材４２１及び前記第２支持部材により支持される。このとき、前記有機ＥＬパネル４１０の１側面が開放状態とされ、前記有機ＥＬパネルの上面及び下面の一部が開放状態とされる。
【００７２】
前記有機ＥＬパネルの側面は、前記支持部材４２０をなす第１支持部材４２１と、第２支持部材４２２とを結合することによって形成される溝に挿入されるため、前記溝の幅は、有機ＥＬパネル４１０の厚さによって決定されることが望ましい。また、前記幅の深さ（奥行き）は、画像表示部１０２を除いた前記有機ＥＬパネル４１０のエッジ部分であって、非画像表示部１０３に対応するエッジ部分のみが前記溝に挿入されるように決定されることが望ましい。
【００７３】
本実施形態においては、第１支持部材４２１と第２支持部材４２２とに、同じ寸法及び形状の凹部４２５，４２６が形成される。ただし、本発明は必ずしもこれに限定されず、第１支持部材４２１と第２支持部材４２２を異なる寸法または異なる形状に形成し、これらを結合させることによって溝を形成させる構造も可能である。
【００７４】
本実施形態による両面発光型平板表示装置は、前記有機ＥＬパネル４１０のエッジ部分のみが前記支持部材４２０によって支持され、有機ＥＬパネル４１０の上面、すなわち封止手段４１５の一部と、有機ＥＬパネル４１０の下面、すなわち基板４１１の一部が露出される。
【００７５】
このとき、前記支持部材４２０により、前記非画像表示部１０３に対応する有機ＥＬパネル４１０のエッジ部分が支持されることが望ましく、前記有機ＥＬパネル４１０の基板４１１及び封止手段４１５の、画像表示部１０２に対応する部分が開放状態とされることが望ましい。
【００７６】
本発明の実施形態において、有機ＥＬパネル型の平板表示パネルが例示されたが、本発明はこれに必ずしも限定されず、両面発光型の表示素子を有するあらゆるタイプの平板表示パネルに適用可能である。
【００７７】
本発明の実施形態による支持部材の構造は、図１ないし図４に示された構造に必ずしも限定されるものではなく、本発明は、外部からの信号を伝達するためのＦＰＣを引き出すために支持部材の片側が開放状態とされ、有機ＥＬパネルの発光層から発せられる光が基板及び封止手段の両面に放出されるように有機ＥＬパネルの上下面が開放状態とされる構造は何れも可能である。
【００７８】
また、本発明の実施形態において、有機ＥＬパネルとしてアクティブマトリックス型の有機電界発光表示パネルが例示されたが、本発明は必ずしもこれに限定されず、パッシブマトリックス型の有機電界発光表示パネルや、図３に示されたような断面構造以外の多様な断面構造を有する有機電界発光表示パネルに適用可能である。
【００７９】
以上、本発明の望ましい実施形態を参照して説明したが、当業者は、特許請求の範囲に記載された本発明の思想及び領域から逸脱しない範囲内で本発明を多様に修正及び変更させうると理解される。
【産業上の利用可能性】
【００８０】
本発明は、有機電界発光表示装置のみならず、ＬＣＤのような平板表示装置に関連した技術分野に適用されることができる。
【図面の簡単な説明】
【００８１】
【図１】本発明の実施形態による両面発光型の有機電界発光表示装置の分解斜視図である。
【図２】本発明の実施形態による両面発光型の有機電界発光表示装置の断面図である。
【図３】本発明の実施形態による両面発光型の有機電界発光表示装置において、一つの画素の断面構造を示す。
【図４】本発明の他の実施形態による両面発光型の有機電界発光表示装置の分解斜視図である。
【図５】本発明のさらに他の実施形態による両面発光型の有機電界発光表示装置の分解斜視図である。
【図６】本発明のさらに他の実施形態による両面発光型の有機電界発光表示装置の分解斜視図である。
【符号の説明】
【００８２】
１１０    両面発光型有機ＥＬパネル、
１１１    基板、
１１５    封止手段、
１２０    支持部材、
１２１    第１支持部材、
１２２，１２３    第２支持部材、
１２５，１２６，１２７    溝。
【図１】
2006146214.tif 000003
【図２】
2006146214.tif 000004
【図３】
2006146214.tif 000005
【図４】
2006146214.tif 000006
【図５】
2006146214.tif 000007
【図６】
2006146214.tif 000008